(57)【特許請求の範囲】
【請求項１】
運動選手の生体情報及び前記運動選手の位置に応じた動作及び活動を感知するセンサを備えたプロテクターと連動して、前記運動選手の前兆症状及び負傷危険度を算出して前記運動選手の状態を管理するための運動選手管理装置であって、
前記プロテクターから前記生体情報を受信し、前記プロテクターから前記運動選手の活動距離、活動時間、活動動作、及び活動強度のうち少なくともいずれか１つ以上を含む運動選手の活動情報を受信し、外部端末から競技場内の湿度、温度、風量、風向、騒音、高度、硬度、地質、運動場の芝生の状態のうち少なくともいずれか１つ以上を含む競技場の環境情報を受信し、前記プロテクターに前記前兆症状及び前記負傷危険度を送信する通信部と、
前記前兆症状及び前記負傷危険度を算出して前記運動選手の状態を管理するためのプログラムを保存するメモリと、
前記通信部及び前記メモリと連動して前記プログラムの動作を実行するプロセッサと、
を含み、
前記プログラムは、前記運動選手の活動情報、前記競技場の環境情報、前記生体情報と予め保存された前記運動選手の生体回復能力データとを用いて前記運動選手の前兆症状及び前記負傷危険度を算出し、前記運動選手の緊急事態を予測するコマンドを含み、
前記生体回復能力データは、前記各運動選手により既存に行われた競技履歴または訓練時に測定されて個別に蓄積されたデータであるパーソナルデータを含み、
前記前兆症状は心臓発作や負傷危険に対する前兆症状であり、
前記負傷危険度は、前記運動選手が競技を続けると前記運動選手の負傷危険が予想されるか前記運動選手の健康や生命が危険になると判断される程度である
運動選手管理装置。
【請求項２】
前記生体情報は、血流、心拍数、心電図、筋電図、体温、乳酸、汗、体外分泌、呼吸、酸素飽和度、水分、体内栄養素、靭帯の弾力性、神経反応、痛み情報、活動距離、活動時間、活動動作、及び運動選手の位置のうち少なくともいずれか１つ以上を含み、
前記プログラムは、前記生体情報の変化量と前記生体回復能力データとを用いて前記運動選手の負傷危険度を算出するコマンドを含む、
請求項１に記載の運動選手管理装置。
【請求項３】
前記通信部は、競技場内に位置する撮影部から競技映像を受信し、
前記プログラムは、
前記競技映像から、前記運動選手の活動情報を算出するコマンドを含む、
請求項１に記載の運動選手管理装置。
【請求項４】
前記プロテクターは、
前記運動選手の生体情報を感知するためのセンサ部と、
前記生体情報を送信し、前記運動選手管理装置から前記負傷危険度を受信する通信部と、
前記前兆症状及び負傷危険度を通知するための危険信号通知部と、
を含む、
請求項１に記載の運動選手管理装置。
【請求項５】
運動選手の生体情報を感知するセンサを備えたプロテクターと連動して、運動選手管理装置が前記運動選手の負傷危険度を算出して前記運動選手の状態を管理するための運動選手管理方法であって、
前記プロテクターから前記生体情報を受信するステップと、
前記プロテクターから前記運動選手の活動距離、活動時間、活動動作、及び活動強度のうち少なくともいずれか１つ以上を含む運動選手の活動情報を受信するステップと、
外部端末から競技場内の湿度、温度、風量、風向、騒音、高度、硬度、地質、運動場の芝生の状態のうち少なくともいずれか１つ以上を含む競技場の環境情報を受信するステップと、
予め保存された生体回復能力データ、前記運動選手の活動情報、前記競技場の環境情報及び前記生体情報を用いて前記運動選手の負傷危険度を算出し、前記運動選手の緊急事態を予測するステップと、
前記負傷危険度を前記プロテクターに送信するステップと、
を含み、
前記生体回復能力データは、前記各運動選手により既存に行われた競技履歴または訓練時に測定されて個別に蓄積されたデータであるパーソナルデータを含み、
前記負傷危険度は、前記運動選手が競技を続けると前記運動選手の負傷危険が予想されるか前記運動選手の健康や生命が危険になると判断される程度である、
運動選手管理方法。
【請求項６】
前記生体情報は、血流、心拍数、心電図、筋電図、体温、乳酸、汗、体外分泌、呼吸、酸素飽和度、水分、体内栄養素、靭帯の弾力性、神経反応、痛み情報のうち少なくともいずれか１つ以上を含む、
請求項５に記載の運動選手管理方法。
【請求項７】
競技場内に位置する撮影部から競技映像を受信するステップと、
前記競技映像から、前記運動選手の活動情報を算出するステップと、
をさらに含む、
請求項５に記載の運動選手管理方法。
【請求項８】
前記負傷危険度を、前記運動選手をモニタリングする監督または医療スタッフが保有している端末に送信するステップをさらに含む、
請求項５に記載の運動選手管理方法。
【請求項９】
運動選手の着用するプロテクターと、前記運動選手の負傷危険度を算出する運動選手管理装置と、を含めて前記運動選手の状態を管理するための運動選手管理システムであって、
前記プロテクターは、
前記運動選手の身体に付着して前記運動選手の生体情報を感知するセンサを含み、
前記運動選手管理装置は、
前記運動選手の生体回復能力データを保存する生体回復能力データ保存部と、
前記プロテクターから前記運動選手の生体情報を受信する生体情報取得部と、
前記運動選手の活動時間、活動距離、及び活動量のうち少なくともいずれか１つを含む運動選手の活動情報を取得する活動情報取得部と、
少なくとも１つ以上の外部端末から、前記運動選手の身体的または精神的状態に影響を及ぼせる競技場の環境情報を受信する環境情報取得部と、
前記生体情報、前記運動選手の活動情報、前記競技場の環境情報、及び前記生体回復能力データを用いて前記運動選手の負傷危険度を抽出し、前記運動選手の緊急事態を予測する負傷危険度抽出部と、
を含み、
前記生体回復能力データは、前記各運動選手により既存に行われた競技履歴または訓練時に測定されて個別に蓄積されたデータであるパーソナルデータを含む、
前記負傷危険度は、前記運動選手が競技を続けると前記運動選手の負傷危険が予想されるか前記運動選手の健康や生命が危険になると判断される程度である
運動管理システム。
【請求項１０】
前記活動情報取得部は、
前記センサから前記活動情報を取得したり、
競技場の内部または外部に配置されて前記運動選手の競技場面を撮影する撮影部から競技映像を受信し、受信した前記競技映像から運動選手の位置変化を感知して選手の活動情報を抽出したりする、
請求項９に記載の運動管理システム。
【請求項１１】
前記運動選手管理装置は、前記負傷危険度を、前記プロテクターに送信したり、前記運動選手をモニタリングする監督または医療スタッフが保有している端末に送信したりする通信モジュールをさらに含む、
請求項９に記載の運動管理システム。
【発明の詳細な説明】
【技術分野】
【０００１】
本発明は、運動選手の生体情報を検出するセンサを備えたプロテクターと連動して運動選手の身体状態をモニタリングし、それに応じて選手を管理する選手管理装置、選手管理システム及びそれを用いた選手管理方法に関する。
【背景技術】
【０００２】
スポーツ競技中のスポーツ選手は、大腿部、腰、首、頭、腕、手、股ぐらなどの身体部位に多く負傷し、さらに後遺症を伴う。また、足、膝、足首、腰、首、腕と手の靭帯と神経または内臓器官が危険に多くさらされている。
【０００３】
このような負傷は、ほとんど選手同士間の物理的な接触により起こるものであるが、特別な事故がないにもかかわらず、身体の内外からの圧迫により、無理な競技やトレーニングマッチ中に身体の内部に生じる異常現象を感じずに選手が死亡したり意識を失ったりすることがある。競技が盛んに行われているとき、選手が受けるストレスと緊張感は極限に達し、身体的に耐え難い状態になるため、自己調節能力が落ちて自分の危険な状態を簡単に忘れてしまうことがある。その結果、選手が競技中に突然倒れて意識不明の植物人間になる場合もあり、さらには死亡する場合もある。
【０００４】
スポーツ競技中の選手の身体的危険乃至変化を選手自身が調整するかコーチや医療スタッフに管理してもらう必要があるが、現時点では選手自身が自分の身体的な問題を調節するか知らせない限り、選手の身体的な問題は誰にも気づかないので、実際の競技に参加している選手は誰の助けも受けることができないのが現状である。
【０００５】
このため、スポーツ競技における極限環境による選手の生体変化に対応し、競技中に選手が負傷する前に対策を講じるためには、競技に参加している選手の生体情報を取得してリアルタイムで危険な状況を予め予測し、その危険な状況にリアルタイムで対処することは非常に重要である。したがって、激しい格闘技スポーツであるテコンドー、チームスポーツ競技であるサッカー、アメリカンフットボール、野球、ラグビー、フォーミュラ１、アイスホッケー、バスケットボール、バレーボール、ハンドボール、ゴルフ、テニス、水泳、自転車、軍用、登山、スキューバダイビング、またはＥスポーツの競技に参加している選手の生体情報を、リアルタイムで取得して、識別可能な別途の映像や音声を用いて通知し、着用者には振動を用いてリアルタイムで危機状況を通知することにより、選手の負傷を防ぎ、選手の現在状態をリアルタイムでモニタリングできるようにする分析アルゴリズムを用いて自動的に分析してサポートすることが切実な課題となっている。
【発明の概要】
【発明が解決しようとする課題】
【０００６】
本発明は、極限の環境下でスポーツ競技に参加している選手の生体及び運動状態をモニタリングして選手の危険な状況の程度を分析し、選手のペース調整を助けるか、選手を交代することにより、選手の負傷を未然に防止して競技を円滑に運営できるようにした競技運営システムを提供することを目的とする。
【課題を解決するための手段】
【０００７】
本発明の一実施形態に係る運動選手管理装置は、運動選手の生体情報及び選手の位置に応じた動作及び活動を感知するセンサを備えたプロテクターと連動して、前記運動選手の前兆症状及び負傷危険度を算出して前記運動選手の状態を管理するための運動選手管理装置であって、前記プロテクターから前記生体情報を受信し、前記プロテクターに前記前兆症状及び前記負傷危険度を送信する通信部と、前記前兆症状及び前記負傷危険度を算出して前記運動選手の状態を管理するためのプログラムを保存するメモリと、前記通信部及び前記メモリと連動して前記プログラムの動作を実行するプロセッサと、を含み、前記プログラムは、前記生体情報と予め保存された前記運動選手の生体回復能力データとを用いて前記運動選手の前兆症状及び前記負傷危険度を算出するコマンドを含む。
【０００８】
前記生体情報は、血流、心拍数、心電図、筋電図、体温、乳酸、汗、体外分泌、呼吸、酸素飽和度、水分、体内栄養素、靭帯の弾力性、神経反応、痛み情報のうち少なくともいずれか１つ以上を含み、運動選手の活動距離、活動時間、活動動作の位置を含み、前記プログラムは、前記生体情報の変化量と前記生体回復能力データとを用いて前記運動選手の負傷危険度を算出するコマンドを含むことができる。
【０００９】
前記通信部は、前記プロテクターから、前記運動選手の活動距離、活動時間、活動動作、及び活動強度のうち少なくともいずれか１つ以上を含む運動選手の活動情報を受信し、前記プログラムは、前記生体情報の変化量、前記運動選手の活動情報、及び前記生体回復能力データを用いて前記運動選手の負傷危険度を算出するコマンドを含むことができる。
【００１０】
前記通信部は、外部端末から、競技場の環境と外部の湿度、温度、風量、風向、高度、硬度、地質、地盤と競技場の芝生、すなわち、傾斜ボールリバウンド、垂直ボールリバウンド、ボール転動距離及び速度、芝生の大きさ、芝生の水分状態とボールの位置、回転、強度、弾性力、圧力、重力加速度、ボールのスピン、選手とボールの速度、バウンド、直進、接地のうち少なくともいずれか１つ以上を含む競技場の環境情報を受信し、前記プログラムは、前記生体情報、前記運動選手の生体回復能力データ、及び前記競技場の環境情報を総合して、前記運動選手の負傷危険度を算出するコマンドを含むことができる。
【００１１】
前記通信部は、競技場内に位置する撮影部から競技映像を受信し、前記プログラムは、前記競技映像から、前記運動選手の活動距離、活動時間、活動動作、及び活動強度のうち少なくともいずれか１つ以上を含む運動選手の活動情報を算出し、前記生体情報の変化量、前記運動選手の活動情報、及び前記生体回復能力データを用いて前記運動選手の負傷危険度を算出するコマンドを含むことができる。
【００１２】
前記プロテクターは、前記運動選手の生体情報を感知するためのセンサ部と、前記生体情報を送信し、前記運動選手管理装置から前記負傷危険度を受信する通信部と、前記前兆症状及び負傷危険度を通知するための危険信号通知部と、を含むことができる。
【００１３】
本発明の一実施形態に係るプロテクターは、運動選手の生体情報を用いて前記運動選手の負傷危険度を算出する運動選手管理装置と連動して、前記運動選手に前記負傷危険度を通知するためのプロテクターであって、前記運動選手の血圧情報を測定するための圧電センサと、血流情報を測定するための光センサと、心電図センサと、体温、乳酸、汗、体外分泌、呼吸、酸素飽和度、水分、情報を測定するための温度センサと、体内の栄養素情報、水分量情報、筋肉情報、神経情報、靭帯情報、痛み情報のうち少なくともいずれか１つ以上の生体情報を感知するためのバイオセンサと、のうちの少なくともいずれか１つ以上を含むセンサ部と；前記センサ部が感知した生体情報を前記運動選手管理装置に送信し、前記運動選手管理装置から前記負傷危険度を受信する通信部と；前記負傷危険度を外部に通知するための表示部と、前記運動選手に通知するための振動部と、のうち少なくともいずれか１つ以上を含む危険信号通知部と；を含む。
【００１４】
前記センサ部は、アレイの形に配列された複数のセンサモジュールを含み、前記プロテクターは、前記複数のセンサモジュールにより感知された各生体情報を収集してフィルタリングを行い、前記通信部を介して送信可能な形態の信号に変換する制御部をさらに含むことができる。
【００１５】
本発明の一実施形態に係る運動選手管理方法は、運動選手の生体情報を感知するセンサを備えたプロテクターと連動して、運動選手管理装置が前記運動選手の負傷危険度を算出して前記運動選手の状態を管理するための運動選手管理方法であって、前記プロテクターから前記生体情報を受信するステップと、予め保存された生体回復能力データ及び前記生体情報を用いて負傷危険度を算出するステップと、前記負傷危険度を前記プロテクターに送信するステップと、を含む。
【００１６】
前記生体情報は、血流、心拍数、心電図、筋電図、体温、乳酸、汗、体外分泌、呼吸、酸素飽和度、水分、体内栄養素、靭帯の弾力性、神経反応、痛み情報のうち少なくともいずれか１つ以上を含むことができる。
【００１７】
前記運動選手管理方法は、前記プロテクターから、前記運動選手の活動距離、活動時間、活動動作、及び活動強度のうち少なくともいずれか１つ以上を含む運動選手の活動情報を受信するステップをさらに含み、前記負傷危険度を算出するステップでは、前記生体情報の変化量、前記運動選手の活動情報、及び前記生体回復能力データを用いて前記運動選手の負傷危険度を算出することができる。
【００１８】
前記運動選手管理方法は、外部端末から、競技場の湿度、温度、風量、風向、高度、地質、競技場の芝生の状態、前記運動選手の位置情報、ボールの位置及び動きのうち少なくともいずれか１つ以上を含む競技場の環境情報を受信するステップをさらに含み、前記負傷危険度を算出するステップでは、前記生体情報、予め保存された前記運動選手の生体回復能力データ、及び前記競技場の環境情報を総合して、前記運動選手の負傷危険度を算出することができる。
【００１９】
前記運動選手管理方法は、競技場内に位置する撮影部から競技映像を受信するステップと、前記映像から、前記運動選手の活動距離、活動時間、活動動作、及び活動強度のうち少なくともいずれか１つ以上を含む運動選手の活動情報を算出するステップと、をさらに含み、前記負傷危険度を算出するステップでは、前記生体情報の変化量、前記運動選手の活動情報、及び前記生体回復能力データを用いて前記運動選手の負傷危険度を算出することができる。
【００２０】
前記運動選手管理方法は、前記負傷危険度を、前記運動選手をモニタリングする監督または医療スタッフが保有している端末に送信するステップをさらに含むことができる。
【００２１】
本発明の一実施形態に係る運動選手管理システムは、運動選手の着用するプロテクターと、前記運動選手の負傷危険度を算出する運動選手管理装置と、を含めて前記運動選手の状態を管理するための運動選手管理システムであって、前記プロテクターは、前記運動選手の身体に付着して前記運動選手の生体情報を感知するセンサを含み、前記運動選手管理装置は、前記運動選手の生体回復能力データを保存する生体回復能力データ保存部と、前記プロテクターから前記運動選手の生体情報を受信する生体情報取得部と、前記生体情報及び前記生体回復能力データを用いて選手の負傷危険度を抽出する負傷危険度抽出部と、を含む。
【００２２】
前記運動選手管理装置は、少なくとも１つ以上の外部端末から、前記運動選手の身体的または精神的状態に影響を及ぼせる環境情報を受信する環境情報取得部をさらに含み、前記負傷危険度抽出部は、前記生体情報、前記環境情報、及び前記生体回復能力データを用いて選手の負傷危険度を抽出することができる。
【００２３】
前記運動選手管理装置は、前記運動選手の活動時間、活動距離、及び活動量のうち少なくともいずれか１つを含む活動情報を取得する活動情報取得部をさらに含み、前記負傷危険度抽出部は、前記生体情報、前記活動情報、前記環境情報、及び前記生体回復能力データを用いて選手の負傷危険度を抽出することができる。
【００２４】
前記活動情報取得部は、前記センサから前記活動情報を取得したり、競技場の内部または外部に配置されて前記運動選手の競技場面を撮影する撮影部から競技映像を受信し、受信した前記競技映像から運動選手の位置変化を感知して選手の活動情報を抽出したりすることができる。
【００２５】
前記運動選手管理装置は、前記負傷危険度を、前記プロテクターに送信したり、前記運動選手をモニタリングする監督または医療スタッフが保有している端末に送信したりする通信モジュールをさらに含むことができる。
【発明の効果】
【００２６】
本発明に係る運動選手の着用するプロテクターと連動して運動選手の状態を管理する選手管理装置、選手管理システム及びそれを用いた選手管理方法によれば、選手の危険な状況を分析し、それを選手に通知して選手が自らペースを調整できるようにして選手の負傷または緊急事態を予測および未然に防止することができる。
【００２７】
本発明に係る運動選手の着用するプロテクターと連動して運動選手の状態を管理する選手管理装置、選手管理システム及びそれを用いた選手管理方法によれば、選手が着用しているすねプロテクターから取得した生体情報、運動環境（高度、湿度、温度）、及び選手の生体活動データ（選手別生体情報の最大値及び最小値）を総合して、選手の危険状態を正確に分析することができる。
【００２８】
本発明に係る運動選手の着用するプロテクターは、スポーツ種目別選手の着用装備である運動靴、サッカーシューズ、ユニフォーム、靴下とは違って、装備着用規定に違反せず、身体の皮膚（表皮）に安定して密着固定されて生体情報を容易に取得するのに役に立ち、負傷危険部位、動脈、静脈、神経、靱帯の部位に着用するので、選手の生体情報を感知するのに最適化されており、選手を負傷から保護することができる。
【図面の簡単な説明】
【００２９】
【図１】本発明の一実施形態に係る選手管理システムの構成を示す図である。
【図２】本発明の一実施形態に係る選手管理装置のハードウェア構成図である。
【図３】（ａ）は、本発明の一実施形態に係る運動選手管理システムにおけるプロテクターの背面図であり、（ｂ）は、本発明の一実施形態に係る運動選手管理システムにおけるプロテクターの正面図ある。
【図４】本発明の一実施形態に係る運動選手管理システムにおけるプロテクターの構成を示す図である。
【図５】本発明の一実施形態に係るプロテクターの着用例を示す図である。
【図６】本発明の一実施形態に係るプロテクターの感知および通知モジュールの斜視図である。
【図７】本発明の一実施形態に係るプロテクターの感知および通知モジュールの平面図である。
【図８】本発明の一実施形態に係る選手管理システムを説明するための図である。
【図９】本発明の一実施形態に係る選手管理装置がプロテクターと連動して運動選手を管理するための方法のフローチャートである。
【発明を実施するための形態】
【００３０】
以下、添付した図面を参考にして、本発明の実施の形態について、本発明が属する技術分野における通常の知識を有した者が容易に実施できるように詳細に説明する。しかしながら、本発明は、種々の異なる形態により実現可能であり、ここで説明する実施形態に限定されるものではない。そして、図面において本発明を明確に説明するために、説明と関係のない部分は省略し、明細書全体にわたって同一または類似の構成要素に対しては、同一の図面符号を付している。また、広く知られている公知の技術の場合、その具体的な説明は省略する。
【００３１】
本明細書に記載された実施形態と図に示された構成は、本発明の最も好ましい一実施形態に過ぎないだけであり、本発明の技術的思想を全て代弁するものではないので、本出願時点においてこれらを代替し得る多様な均等物と変形例等があり得ることを理解しなければならない。
【００３２】
以下、図面を参照して、本発明の１つの実施形態に係る運動選手の着用するプロテクターと連動して運動選手の状態を管理する選手管理装置、選手管理システム及びそれを用いた選手を管理する方法について説明する。
【００３３】
図１は、本発明の一実施形態に係る選手管理システムの構成を示す図である。
【００３４】
図１を参照すると、本発明の一実施形態に係る選手管理システム１００は、運動選手が着用しているプロテクター３００と、プロテクター３００と連動する選手管理装置２００と、を含む。また、選手管理システム１００は、競技場の環境情報を選手管理装置２００に送信し得る外部端末４００と、スポーツ選手の競技内容を撮影し、撮影した競技の映像を選手管理装置２００に送信する撮影部５００と、選手管理団が所持している選手管理団端末６００と、をさらに含むことができる。
【００３５】
プロテクター３００は、運動競技中に発生した外部の衝撃から選手の負傷部位を保護し、痛みを緩和し、身体を保護するために皮膚に密着して着用するものであり、プロテクター３００の内部は皮膚（表皮及び真皮）に付着されて運動選手の生体情報を容易に感知し、プロテクター３００は、感知した生体情報を選手管理装置２００に送信する。
【００３６】
生体情報とは、プロテクター３００を着用した選手の身体状態を把握するための情報を意味し、例えば、血圧、血流、心拍数、心電図、体温、体内栄養素、体内水分量、筋肉の収縮程度、乳酸、神経、靭帯情報のうち少なくともいずれか１つ以上を含むことができる。
【００３７】
本発明の一実施形態に係る選手管理装置２００は、生体情報取得部２１２と、環境情報取得部２１４と、活動情報取得部２１６と、負傷危険度抽出部２１８と、を含むことができる。
【００３８】
一般的に、強度の高い運動時間当たり活動として、選手は１秒当たり３〜１１ｍを走破するが、選手が６ｍを走っていると仮定すると、６０分間で約２１,６００ｍを走り、１２０分間で４３,２００ｍを走る。心拍数は選手の年齢や性別により異なるが、基準時間の間にこのような強度が継続されると、最大心拍数は 「最大心拍数＝２２０−年齢」により１５０〜２１３となる。選手は強度の高い運動活動を継続した後、所定の回復時間を経て正常的な心拍数を回復してから次の活動を行う必要がある。身体が正常に回復していない状態で、すなわち、回復時間なしで運動活動を続けると、回復能力が著しく低下するか疲労度が高まるので、運動選手が負傷する可能性が高くなる。また、心臓発作や負傷の前兆症状として、極度の疲労感、軽い痛み、発汗の増加、吐き気とめまい、息切れ、不眠症、不安感などがあり、年齢や性別によって異なるが、このような心臓発作や負傷危険に対する前兆症状を予めモニタリングして選手の状態に合わせて予防及び対策を講じる必要がある。
【００３９】
選手の状態が正常に回復するのにかかる時間は選手ごとに異なっており、回復速度は競技が行われる環境的な要素によっても変わるので、速くなるかまたは遅くなることがある。本実施形態に係る選手管理装置２００は、予め保存された使用者の生体回復能力データと、選手の回復速度に影響を及ぼせる、競技場及び外部環境の情報（すなわち、芝生の硬度、地盤、水分、ボールの重力加速度、観客、騒音、温度、高度、風など）と、選手の生体情報と、選手の活動情報とを用いて、選手の状態変化をモニタリングして負傷危険度を取得し、それを選手および管理団に通知することができる。
【００４０】
生体情報取得部２１２は、プロテクター３００から選手の状態を把握するための生体情報を受信する。
【００４１】
環境情報取得部２１４は、少なくとも１つ以上の外部の端末から環境情報を受信する。
【００４２】
環境情報とは、選手の身体的または精神的状態に影響を及ぼせる情報を意味するものであり、例えば、競技場内の湿度、温度、風量、風向、騒音などの天気情報と、高度、地質、運動場の芝生の状態、ボールの空気圧、ボールの反発力などの競技場情報と、のうち少なくともいずれか１つ以上を含むことができる。
【００４３】
活動情報取得部２１６は、プロテクター３００から選手の活動時間、活動距離、活動量などの活動情報を取得することができ、撮影部５００から競技映像を受信し、受信した競技映像から運動選手の位置変化を感知して、選手の運動量を計算するか選手の動きをモニタリングすることで選手の活動情報を抽出することができる。
【００４４】
撮影部５００は、競技場の内部のゴールポスト、コーナーフラッグ、ゴールラインに配置され、または競技を中継するために競技場の外部に配置されて様々な角度から選手の位置をモニタリングするための競技の映像を撮影することができる。
【００４５】
負傷危険度抽出部２１８は、生体情報取得部２１２が受信した運動選手の生体情報と、環境情報取得部２１４が受信した運動選手に影響を及ぼせる環境情報と、活動情報取得部２１６が取得した運動選手の活動情報と、生体回復能力データ保存部２１９に保存された生体回復能力データとを用いて、選手の負傷危険度を抽出する。
【００４６】
生体回復能力データは、選手の性別、年齢、進行中の運動競技種目に応じて一般的に適用可能なデータと、各選手により既存に行われた競技履歴または訓練時に測定されて個別に蓄積されたデータであるパーソナルデータ（Ｐｅｒｓｏｎａｌ  Ｄａｔａ）と、のうち少なくともいずれか１つ以上を含むことができる。
【００４７】
また、選手管理装置２００は、算出した負傷危険度を、運動選手が自らコンディションを制御することができるように運動選手が着用しているプロテクター３００に送信するか、選手の状態をモニタリングして競技を円滑に運用できるように管理する監督、医療スタッフ、審判員、コーチ・スタッフのうち少なくともいずれか１つ以上を含む選手管理団端末６００に送信する。
【００４８】
すなわち、本発明の一実施形態に係る選手管理システム１００は、プロテクター３００から受信した選手の生体情報と、少なくとも１つ以上の外部端末４００から受信した環境情報と、撮影部５００から受信した競技映像から抽出した選手の活動情報とを総合して、選手の現在の身体状態および体力状態を分析及び把握する。また、過去の競技情報、訓練情報、負傷情報などの予め保存されている選手の生体回復能力データに基づいて、選手が競技を続けると選手の負傷危険が予想されるか選手の健康や生命が危険になると判断される程度である負傷危険度を算出する。
【００４９】
本発明の一実施形態によれば、負傷危険度抽出部２１８は、生体分析データ、体内栄養素含有量データ、環境要素分析データ、動作分析データ、及び選手の記録データを総合して、正常、境界、危険の３段階で選手の負傷危険度を算出することができる。
【００５０】
このとき、生体分析データは、表１に示すように選手の年齢、単位時間当たりの移動距離、心拍数、回復速度、酸素飽和度、呼吸量、血圧、乳酸、排出される汗の量、体温、体外分泌、痛み情報のうち少なくともいずれか１つを含むことができる。
【００５１】
【表１】
0006652628.tif 000002
生体分析データを算出する方法は、以下の通りである。
最大心拍数は、下記の数式１のように計算できる。
最大心拍数（Ｍａｘ  ＨＲ）＝２２０−年齢      …（１）
目標心拍数は、下記数式２のように計算できる。
目標心拍数＝最大心拍数−６５〜８５％      …（２）
１分当たりの消費カロリは、下記数式３または数式４のように計算できる。
１分当たりの消費カロリ（ｋｃａｌ／ｍｉｎ）
＝ ０.０００９４×心拍数＋０.１３４６×体質量−７.３７４１８      …（３）
１分当たりの消費カロリ（ｋｃａｌ／ｍｉｎ）
＝ＭＥＴｓ×３.５（ｃｏｎｓｔａｎｔ）×体重／２００（ｃｏｎｓｔａｎｔ）
…（４）
最大酸素摂取量は、下記数式５のように計算できる。
最大酸素摂取量（ＶＯ２ｍａｘ）［ｍｌ／ｋｇ／ｍｉｎ］＝Ｍｅｔｓ×３.５
…（５）
無酸素性閾値（ＡＴ）は、下記数式６のように計算できる。
無酸素性閾値＝０.７（Ｍａｘ  ＨＲ−Ｒｅｓｔ  ＨＲ）＋Ｒｅｓｔ  ＨＲ
…（６）
ここで、Ｍａｚ  ＨＲは最大心拍数を表し、Ｒｅｓｔ  ＨＲは運動開始後の最小心拍数を表す。
無酸素性閾値は、選手級が７０以上、一般人が５０〜６０、虚弱者が５０以下である。
有酸素性閾値（ＡｅＴ）は、下記数式７のように計算できる。
有酸素性閾値（ＡｅＴ）
＝０.５（Ｍａｘ  ＨＲ−Ｒｅｓｔ  ＨＲ）＋Ｒｅｓｔ  ＨＲ      …（７）
栄養処方における基礎代謝量の公式は、下記数式８を用いて算出される。
男性：６６.４７＋（１３.７５×体重）＋（５×身長）−（６.７６×年齢）
女性：６６５.１＋（９.５６×体重）＋（１.８５×身長）−（４.６８×年齢）
…（８）
【００５２】
体内栄養素含有量データは、下記表２に示すように、選手の体内に含有された水分、炭水化物、タンパク質、脂肪、ミネラル、ビタミンの量のうち少なくともいずれか１つを含むことができる。
【表２】
0006652628.tif 000003
【００５３】
また、環境要素分析データは、下記表３に示すように、運動競技場所の湿度、温度、風量、風向、高度、地盤、芝生の硬度、 牽引力、傾斜ボールリバウンド、垂直ボールリバウンド、ボール転動の距離及び速度、芝生の水分、芝生の種類、ボールの弾性力、圧力、重力加速度、回転率、無回転率、直進速度、接地速度、バウンド後の速度、ボールの大きさ、ボールの重量、ボールの反発力のうち少なくともいずれか１つを含むことができる。
【表３】
0006652628.tif 000004
【００５４】
また、動作分析データは、選手のキック、守備、攻撃、シューティング、ヘディング、パス、良い防御、ボールトラップ、ボールドリブル、タックル、スローイン、フリーキック、コーナーキック、ファウル、得点、失点、ポイントのうち少なくともいずれか１つ以上を含むことができる。
【００５５】
選手の記録データは、選手の身長、体重、食事パターン、睡眠パターン、負傷及び病気の記録、飲酒、喫煙、サポート機器、競技の重要度、観客数、観客と周囲の騒音、地域別の流行、病気、不安情報、趣味、収入及び支出のパターン、飢饉、戦争のうち少なくともいずれか１つ以上を含むことができる。
【００５６】
すなわち、負傷危険度抽出部２１８は、 プロテクター３００から受信した選手の生体情報と、少なくとも１つ以上の外部端末４００から受信した環境情報と、撮影部５００から受信した競技映像から抽出した選手の活動情報とを総合して、生体分析データ、体内栄養素含有量データ、環境要素分析データ、動作分析データ、および選手の記録データを指標化する。
【００５７】
【表４】
0006652628.tif 000005
【００５８】
また、指標化されたデータが、予め保存された正常、境界、危険の段階のうちのいずれの段階に該当するかを決定することにより、負傷危険度及び競技力を算出することができる。
【００５９】
また、選手管理システム１００は、算出した負傷危険度を、運動選手が自らのコンディションを制御できるように運動選手に伝達するか、選手を管理する選手管理団が所持している選手管理団端末６００又は審判員に送信することにより、選手の負傷を予め予防し、運動競技がスムーズに進行できるようにする。
【００６０】
図２は、本発明の一実施形態に係る選手管理装置のハードウェア構成図である。本発明に係る選手管理装置２００のハードウェア構成は、デザインによって多様な形態が可能である。図２を参照すると、本発明の一実施形態に係る選手管理装置２００は、少なくとも１つの通信インターフェース２２２と、少なくとも１つのメモリ２２４と、プロセッサ２２６と、を含むことができる。
【００６１】
通信インターフェース２２２は、外部装置と物理的に接続するためのハードウェアである。本実施形態に係る通信インターフェース２２２は、選手が保有しているプロテクター３００と、選手に影響を及ぼせる様々な環境情報を保有している少なくとも１つ以上の外部端末４００と、競技映像を撮影する撮影部５００と、選手管理団が保有している選手管理団端末６００と、に接続するための有線／無線通信インターフェースを含む。
【００６２】
メモリ２２４は、プロセッサ２２６の動作に必要な各種情報を保存するハードウェアである。メモリ２２４は、プロセッサ２２６の駆動のためのオペレーティングシステム（ＯＳ）と、本発明における選手管理装置２００の各種動作のためのプログラムと、を保存することができる。
【００６３】
プロセッサ２２６は、メモリ２２４および通信インターフェース２２２と通信を行い、これらを制御する。プロセッサ２２６は、メモリ２２４に保存されたプログラムをロードして運動選手の生体情報、活動情報及び環境情報を総合して身体状態を正確に分析し、予め保存された生体回復能力データに基づいて負傷危険度を算出し、それを選手及び選手管理団に送信する機能を行うことができる。
【００６４】
図３の（ａ）は、本発明の一実施形態に係る運動選手管理システムにおけるプロテクターの背面図であり、図３の（ｂ）は、本発明の一実施形態に係る運動選手管理システムにおけるプロテクターの正面図であり、図４は、本発明の一実施形態に係るプロテクターの感知および通知モジュールの構成を示す図である。
【００６５】
図３の（ａ）を参照すると、プロテクター３００は、競技中に発生した外部の衝撃から選手を保護するために選手が身体に着用する装置であって、本実施形態では、サッカーの競技の際にサッカー選手がすねに着用するすねプロテクターであり得る。しかし、プロテクター３００は必ずしもこれに限定されるものではなく、各種運動競技の規則により許容された、身体の様々な部位に着用する保護装置であってもよい。
【００６６】
図３の（ａ）及び図３の（ｂ）を参照すると、本発明の一実施形態に係るプロテクター３００は、本体部３０２と、衝撃吸収プラスチック３０４と、感知および通知モジュール３０６と、を含む。
【００６７】
本体部３０２は、運動選手の汗と熱を排出し易く、外部からの衝撃を吸収できるスポンジ素材を有し、本体部３０２の一部が、選手から排出される汗や雨などの環境的要因に起因する水分から端末を保護するために防水処理されてもよい。図３の（ｂ）を参照すると、本発明の一実施形態に係るプロテクター３００は、本体部３０２の外側に外部の衝撃にも耐えることができる衝撃吸収プラスチック３０４をさらに含むことができる。また、感知および通知モジュール３０６は、運動選手から感知された生体情報を取得し、選手管理装置２００と連動して、プロテクター３００を着用している選手に危険信号を通知するための構成であり、本体部３０２の内部に貫通して内設されてもよい。
【００６８】
図４を参照すると、本体部３０２内の感知および通知モジュール３０６は、選手の生体情報を取得できるセンサ部３１０、通信部３２０、危険信号通知部３３０、制御部３４０および電源部３５０を含む。
【００６９】
センサ部３１０は、プロテクター３００を着用した選手の生体情報を収集するためのセンサを含む。
【００７０】
生体情報とは、プロテクター３００を着用した選手の身体状態を把握できる情報を意味し、例えば、血圧、血流、心拍数、心電図、汗、体外分泌、体温、体内栄養素、体内水分量、筋肉の収縮程度、神経、および靱帯情報のうち少なくともいずれか１つ以上を含むことができる。センサ部３１０は、生体情報を収集し得る様々な種類のセンサを備えることができる。例えば、センサ部３１０は、血管拡張により生じる圧力を測定して血圧情報を収集する圧電センサと、血流及び心拍数を収集する光センサと、心臓の正常な動きによる波形を収集する心電図（ＥＣＧ）センサと、選手の体温を収集する温度センサと、選手の体内酸素飽和度、汗、乳酸及び呼吸量、選手の体内栄養素情報、水分量情報、筋肉情報、神経情報、靭帯または痛みの状態を収集する様々な種類のバイオセンサと、のうち少なくともいずれか１つ以上を含むことができる。
【００７１】
本実施形態に係るプロテクター３００において、センサ部３１０は、着用者の左右のそれぞれのすねの脛骨動脈及び脛骨静脈の近くに位置する。また、センサ部３１０は、センシング部位及び皮膚との密着のためにバンド状で固定されて、前脛骨動脈部の神経及び筋肉から生体データを取得することにより、心臓から遠く離れたすねの付近でも正確な生体情報を感知することができる。また、本実施形態に係るプロテクターは、センサ部３１０のセンシング精度を高めるために、アレイの形に配列された複数のセンサを備えることができる。このため、競技中の選手の動きに応じてプロテクター３００の位置が微細に変化しても、複数のセンサにより生体情報を感知することにより正確なセンシング情報を取得することができる。
【００７２】
例えば、本発明に係る一実施形態では、センサ部３１０を光センサで構成することができる。光センサの発光部は着用者の血管に赤外線を照射し、受光部は血管から反射された光を収集して着用者の血流変化を測定する。
【００７３】
このとき、アレイの形に配列された光センサを備え、血管に光を照射し、血管から反射された光を収集して血流の変化を測定する場合、複数の光センサのうちのいずれか１つ以上の光センサが血管と正確に対応すれば、他の光センサが血管と正確に対応位置しなくても、正確に対応する光センサを用いて血流の変化を感知することができる。
【００７４】
通信部３２０は、センサ部３１０により取得された選手の生体情報を選手管理装置２００に送信したり、選手管理装置２００から選手の危険情報を受信したりする。通信部３２０は、所定の周波数範囲を用いて無線通信を行うレーダ、ＷＩＦＩ、ＬＴＥ、無線周波数（Ｒａｄｉｏ Ｆｒｅｑｕｅｎｃｙ：ＲＦ）通信モジュールで実現されてもよい。
【００７５】
また、通信部３２０は、着用者の生体情報を、選手管理装置２００だけではなく、選手の身体状態を管理する外部の医療スタッフ、リハビリトレーナー、フィジカルトレーナー、コーチ及び球団（クラブ）にリアルタイムで無線送信することができ、さらに放送通信メディアを介して視聴者にもリアルタイムで無線送信することができる。
【００７６】
危険信号通知部３３０は、通信部３２０が選手管理装置２００から選手の危険情報を受信すると、危険な状況を選手にリアルタイムで通知することができる。このとき、図３の（ｂ）に示すように、危険信号通知部３３０は、ＬＥＤ及びディスプレイのうちのいずれか１つ以上を含む表示部３３１などの視覚的な手段を用いて、審判員及び競技関係者が選手の状態をモニタリングできるように構成されてもよい。
【００７７】
しかし、危険信号通知部３３０は、必ずしもこれに限定されるものではなく、スピーカーモジュールを備えてこの聴覚的な手段を用いて選手に危険な状況を伝達してもよい。また、危険信号通知部３３０は、競技運営の戦略上、選手の危険情報を相手に露出しないように、プロテクター３００を着用している運動選手のみに危険情報を戦略的に伝達するために振動モジュール３３２を備えて、所定の間隔で発生する振動信号を用いて選手に危険な状況を通知することができる。すなわち、危険信号通知部３３０は、選手が自らの状態をチェックできるように構成することもできる。
【００７８】
制御部３４０は、センサ部３１０により取得された生体情報を補正し、補正した生体情報を通信部３２０に伝達して選手管理装置２００に送信するように制御することができる。また、 制御部３４０は、通信部３２０から受信した選手の危険情報を、危険信号通知部３３０に伝えて選手に危険な状況を伝達することができる。
【００７９】
制御部３４０は、センサ部３１０により取得された生体情報のノイズを除去することができる。また、制御部３４０は、左プロテクター３００により測定された生体情報と、右プロテクター３００により測定された生体情報とを総合することもできる。このとき、取得された生体情報を分析して、正確なセンシングが行われていないと判断される場合には、センサ部３１０の測定波長帯域を変更するか、測定時間を変更するなどの測定パラメータを変更することにより、センシングの精度をさらに向上させることができる。
【００８０】
本実施形態において、制御部３４０は、プロテクター３００全体を運用する中央処理装置（ＣＰＵ）で実現されてもよく、センサ部３１０により測定された生体情報を通信部３２０が送信可能な情報に変換するためのデータ処理装置を含むこともできる。
【００８１】
また、制御部３４０は、センサ部３１０により取得された生体情報に基づいて、選手が動いていないと判断するか、運動選手がプロテクター３００を着用していないと判断するか、通信部３２０を介して外部からプロテクター３００の動作を制御する信号を受信すると、プロテクター３００の各種動作を停止させ、その結果、無駄な電力の浪費を防止することができる。
【００８２】
電源部３５０は、プロテクター３００のセンサ部３１０、通信部３２０、危険信号通知部３３０および制御部３４０の各種動作の実現に必要な電力を供給するための構成要素であり、最小約５時間持続可能な小型バッテリで実現されてもよい。電源部３５０は、充電式バッテリであり、外部電力により充電可能である。このとき、本実施形態に係るプロテクター３００は、充電端子を含む電源供給部３５２をさらに含むことができる。
【００８３】
図面に示されていないが、本発明の一実施形態に係る運動選手管理システムのプロテクター３００は、選手の動きを撮影できるカメラをさらに含むことができる。カメラは、競技映像を撮影し、通信部３２０を介してそれを外部に送信することにより、選手の競技進行の場面をよりリアルに実感できるように送信することができる。また、ビデオ判読にも使用可能である。
【００８４】
このように、本発明の一実施形態に係る運動選手管理システムのプロテクター３００は、内側に防水機能及び汗や熱排出機能を発揮するスポンジ材質を有する本体部３０２を含み、本体部３０２内に生体情報を取得するセンサ部３１０と危険信号通知部３３０とが付着されるため、選手がプロテクター３００を着用しても不快感を与えることなく皮膚に密着して生体情報を取得することができる。また、センサ部３１０は、着用者の左右のそれぞれのすねの脛骨動脈および脛骨静脈の近くに配置され、センシング部位との密着のためにバンド状に固定されて前脛骨動脈部の神経および筋肉から生体データを取得するので、選手の正確な生体情報を取得することができる。
【００８５】
図５は、本発明の一実施形態に係るプロテクターの着用例を示す図であり、図６は、本発明の一実施形態に係るプロテクターの感知および通知モジュールの斜視図であり、図７は、本発明の一実施形態に係るプロテクターの感知および通知モジュールの平面図である。
【００８６】
図５を参照すると、本発明の一実施形態に係るプロテクター３００は、着用者のすね部分に着用されてもよい。プロテクター３００は、本体部３０２と、本体部３０２内の感知および通知モジュール３０６と、を含む。
【００８７】
本体部３０２は、運動選手の汗を吸収し易く熱を排出し易く構成されたもので、外部からの衝撃を吸収することができ、本体部３０２の一部を、選手から排出される汗や雨などの環境的要因に起因する水分から端末を保護するために、防水処理することができる。
【００８８】
感知および通知モジュール３０６は、運動選手の生体情報を取得し、取得した生体情報を外部に送信し、外部から受信した選手の負傷危険度を選手及び競技関係者に通知するための構成要素である。
【００８９】
図６及び図７を参照すると、本実施形態に係る感知および通知モジュール３０６は、センサ部３１０、通信部３２０、危険信号通知部３３０、制御３４０および電源部３５０を含むことができる。
【００９０】
本実施形態に係るプロテクター３００の感知および通知モジュール３０６においては、上部に、選手と接触するセンサ部３１０と電源供給部３５２とが配設される。センサ部３１０は、着用者の身体部分に密着して着用者の生体情報を感知することができる。
【００９１】
センサ部３１０の下部には、 振動信号を用いて選手の危険情報を選手に通知するための振動モジュール３３２が配設され、振動モジュール３３２の下部には、プロテクター３００の各機能を制御するための制御部 ３４０が配設される。制御部３４０の下部には、プロテクター３００の各機能の実現に必要な電力を供給する電源部３５０が配設される。
【００９２】
電源部３５０の下部には、外部との通信を行う通信部３２０と、選手の危険情報を外部に通知するための表示部３３１とが配設される。表示部３３１は、赤色（Ｒ）、緑色（Ｇ）、青色（Ｂ）の３つのＬＥＤで構成されて、選手の負傷危険度に応じて異なる色を点灯させることができる。
【００９３】
上記構成要素を有する感知および通知モジュール３０６は、上端部が図１に示されたプロテクター３００の内側に備えられる本体部３０２に挿入され得る。このとき、選手の生体情報を感知するセンサ部３１０と、選手に危険信号を通知するための振動モジュール３３２とは、着用者の身体、例えば、すね部分に密着可能である。
【００９４】
図６に示すように、本発明の一実施形態に係るプロテクター３００の感知および通知モジュール３０６は、幾層にも積層された構造で形成されてもよいが、これは例示的なものであり、本発明に係る感知および通知モジュール３０６に備えられるセンサ部３１０、通信部３２０、制御部３４０、危険信号通知部３３０及び電源部３５０は、多様に配置されて形成されてもよい。また、センサ部３１０は、皮膚、前脛骨動脈及び様々な動脈、静脈、神経に密着するようにバンド状にデザインしてもよく、着脱式に変更して使用してもよい。
【００９５】
図８は、本発明の一実施形態に係る選手管理システムを説明するための図である。
【００９６】
図８を参照すると、本発明の一実施形態に係る選手管理システム１００は、選手が着用するプロテクター３００と、競技場内の選手情報及び環境情報を送信する外部端末４００と、競技場内に位置するボール、ゴールポスト、ゴールライン、中継カメラ、及びコーナーフラッグのうち少なくともいずれか１つ以上が含む撮影部５００と、選手管理団端末６００と、前記プロテクター３００、外部端末４００、撮影部５００、及び選手管理団端末６００と連動する選手管理装置２００と、を含む。
【００９７】
まず、サッカー競技に参加する運動選手はプロテクター３００を着用し、プロテクター３００に備えられた感知および通知モジュール３０６は、センサ部３１０を介して運動選手の生体情報を感知することができる。
【００９８】
センサ部３１０により感知された生体情報は、通信部３２０を経て選手管理装置２００に送信され得る。または、制御部３４０により、生体情報が所定の閾値以上の異常信号であると判断された場合には、振動モジュール３３２を用いて着用者に危険な状況をすぐに通知することもできる。
【００９９】
選手管理装置２００は、 少なくとも１つ以上の選手のプロテクター３００から使用者の生体情報を受信する。
【０１００】
本発明の一実施形態に係る選手管理装置２００は、少なくとも１つ以上の外部端末４００から、選手の精神的または物理的に影響を及ぼせる環境情報をスキャンして受信することができる。環境情報は、競技場内の湿度、温度、風量、風向などの天気情報、高度、地質、運動場の芝生状態などの競技場情報のうち少なくともいずれか１つ以上を含むことができる。
【０１０１】
また、選手管理装置２００は、選手のプロテクター３００に備えられた加速度センサまたは角度センサを含む運動センサから、選手の活動時間、活動距離、及び活動量のうち少なくともいずれか１つ以上を含む活動情報を取得することができる。または、競技場の内部または外部に配置された少なくとも１つ以上の撮影部５００から、選手の動きを撮影した競技映像を取得し、競技映像から選手の動きを感知して選手の活動情報、選手の位置及び環境情報を取得することができる。環境情報は、競技場及び外部環境の情報、すなわち、芝生の硬度、地盤、水分、ボールの重力加速度、観客、温度、高度、風及びボールの動きのうち少なくともいずれか１つ以上を含むことができる。
【０１０２】
選手管理装置２００は、受信した生体情報と、環境情報と、活動情報と、選手の生体回復能力データ保存部２１９に保存された生体回復能力データとを用いて、選手の負傷危険度を計算する。生体回復能力データは、選手の性別、年齢、進行中の運動競技種目に応じて一般的に適用可能なデータと、各選手により既存に行われた競技履歴または訓練時に測定されて個別に蓄積されたデータであるパーソナルデータ（Ｐｅｒｓｏｎａｌ  Ｄａｔａ）と、のうち少なくともいずれか１つ以上を含むことができる。
【０１０３】
また、選手管理装置２００は、計算した負傷危険度を、選手が着用しているプロテクター３００と、選手管理団が保有している選手管理団端末６００と、に送信することができる。選手管理団端末６００は、メインコンピュータ、タブレットＰＣ、スマートフォンなどの電子機器であり得る。
【０１０４】
図９は、本発明の一実施形態に係る選手管理装置がプロテクターと連動して運動選手を管理するための方法のフローチャートである。
【０１０５】
図９を参照すると、選手管理装置２００は、選手が着用しているプロテクター３００から選手の生体情報を受信する（Ｓ１１０）。
【０１０６】
プロテクター３００は、選手の様々な生体情報を感知するセンサ部３１０と、生体情報を送信し、負傷危険度を受信する通信部３２０と、を含むことができる。センサ部３１０は、選手の血圧、血流、心拍数、心電図、体温、汗、体外分泌、体内栄養素、体内水分量、筋肉の収縮程度、神経、靭帯、痛み情報のうち少なくともいずれか１つ以上を含む運動選手の生体情報を感知するために、圧電センサ、光センサ、心電図センサ、温度センサ、バイオセンサのうち少なくともいずれか１つ以上のセンサを含むことができ、センシング感度を高めるために、アレイの形に配列された複数のセンサモジュールを備えることができる。
【０１０７】
選手管理装置２００は、少なくとも１つ以上の外部端末４００から環境情報を受信する（Ｓ１２０）。
【０１０８】
環境情報は、選手の身体的または精神的状態に影響を及ぼせる各種情報を意味するものであり、例えば、競技場内部の湿度、温度、風量、風向などの天気情報、高度、地質、運動場の芝生の状態、騒音などの競技場情報のうち少なくともいずれか１つ以上の情報を含むことができる。
【０１０９】
選手管理装置２００は、運動選手の競技映像を撮影した撮影部５００から競技映像を受信する（Ｓ１３０）。
【０１１０】
撮影部５００は、競技場内部のゴールポスト、コーナーフラッグ、ゴールラインに配置され、または競技を中継するために競技場外部に配置されて様々な角度から選手の位置をモニタリングするための競技映像を撮影することができる。
【０１１１】
選手管理装置２００は、撮影部５００から受信した競技映像を用いて運動選手の位置変化を感知して選手の運動量を計算するか選手の動きをモニタリングして選手の活動情報を抽出する（Ｓ１４０） 。
【０１１２】
その次、選手管理装置２００は、プロテクター３００から受信した選手の生体情報と、少なくとも１つ以上の外部端末４００から受信した環境情報と、撮影部５００から受信した競技映像から抽出した選手の活動情報とを総合して運動選手の身体状態を分析し、生体回復能力データに基づいて負傷危険度を算出する（Ｓ１５０）。
【０１１３】
生体回復能力データは、選手の性別、年齢、進行中の運動競技種目に応じて一般的に適用可能なデータと、各選手により既存に行われた競技履歴または訓練時に測定されて個別に蓄積されたデータであるパーソナルデータ（Ｐｅｒｓｏｎａｌ  Ｄａｔａ）と、のうち少なくともいずれか１つ以上を含むことができる。
【０１１４】
最後に、選手管理装置２００は、算出した負傷危険度を選手または選手管理団に送信する（Ｓ１６０）。これにより、運動選手は、負傷危険度を受信して自らコンディションを制御することができ、また、選手管理団は、運動選手の状態による客観的な負傷危険度を用いて選手を管理および保護することができる。
【０１１５】
本発明に係る運動選手の着用するプロテクターと連動して運動選手の状態を管理する選手管理装置、選手管理システム及びそれを用いた選手管理方法によれば、選手の危険な状況を分析し、それを選手に通知して選手が自らペースを調整できるようにして選手の負傷または緊急事態を予測および未然に防止することができる。
【０１１６】
本発明に係る運動選手の着用するプロテクターと連動して運動選手の状態を管理する選手管理装置、選手管理システム及びそれを用いた選手管理方法によれば、選手が着用しているすねプロテクターから取得した生体情報、運動環境（高度、湿度、温度）、及び選手の生体活動データ（選手別生体情報の最大値及び最小値）を総合して、選手の危険程度を正確に分析することができる。
【０１１７】
以上、本発明の実施形態について詳細に説明したが、本発明の権利範囲はこれに限定されるものではなく、次の請求範囲で定義している本発明の基本概念を利用した当業者の種々の変形及び改良形態も本発明の権利範囲に属するものである。
【図１】
0006652628.tif 000006
【図２】
0006652628.tif 000007
【図３】
0006652628.tif 000008
【図４】
0006652628.tif 000009
【図５】
0006652628.tif 000010
【図６】
0006652628.tif 000011
【図７】
0006652628.tif 000012
【図８】
0006652628.tif 000013
【図９】
0006652628.tif 000014